(57)【要約】【解決する課題】本発明は、幼児がシートベルトを着用しても圧迫感や拘束感を感じずに、長時間の使用においても疲れず、取り扱いの容易なシートベルト用のバックルを提供する。【解決手段】ベルト係着部１４ｅ、１５ｅ、１６ｅ、１７ｅを有するタングプレート１４，１５，１６，１７を挿入する４つの挿入口１２と、固定された少なくとも一つの係止部１３とを有するバックルの本体１１と、前記挿入口１２に挿入する着脱自在の４つのタングプレート１４，１５，１６，１７と、該タングプレートの抜脱を操作する押圧部２４を有する蓋体１８とよりなるシートベルト用バックル１００とした。【選択図】図１
2004329472.tif 000002
【特許請求の範囲】
【請求項１】
ベルト係着部を有するタングプレートを挿入する４つの挿入口と固定された少なくとも一つの係止部とを有するバックルの本体と、前記挿入口に挿入する着脱自在の４つのタングプレートと、該タングプレートの抜脱を操作する押圧部を有する蓋体とよりなることを特徴とするシートベルト用バックル。
【請求項２】
本体に固定された係止部を下にした場合、２つのタングプレートのベルト係着部が略水平方向を向き、２つのタングプレートのベルト係着部は斜め上方を向いていることを特徴とする請求項１記載のシートベルト用バックル。
【発明の詳細な説明】
【０００１】
【発明の属する技術分野】本発明は、自動車の幼児用のシート等に着設するシートベルトを固定するバックルに関わる。
【０００２】
【従来の技術】シートベルトは自動車に着座すると必ず着設しなければならず、大人であれ、幼児であれ、その区別はない。大人にとっては事故に遭遇した時命を守る命綱であることは理解しているが、幼児にとってシートベルトで拘束されることは、圧迫感と、拘束感を伴うものである。
【０００３】
特許文献１に開示されているシートベルトは、自動車に併設された２本の３点式シートベルトを腹部前方にクッション性を有するバックルに押し込むものである。特許文献２においては、座席の両側面等の隙間をコンパクトに利用した装着応用普及型４点式シートベルトが開示されている。このシートベルトは座席の座部の両側面からの２本のベルトと両肩部からの２本のベルトを腹部で１点に結合させた簡易型のものである。特許文献３のシートベルトは、下部が座部に固定された胸当てパッドの上部に、背もたれ部の両肩部に設けられたベルトを着設した３点式のシートベルトが開示されている。
【０００４】
このような既存のシートベルトは腹部に当接する部分にパッドあるいはクッションが設けられているが、幼児の体型によってはきつすぎたり、緩かったりして幼児自身に拘束感及び引張力による圧迫感を常に与えることとなり、長い時間の使用が困難であった。このような圧迫感、拘束感のないシートベルトの出現が望まれていた。
【０００５】
【特許文献１】実開平６−１００６２号公報（第５頁及び図１参照）
【特許文献２】特開平１１−４３０１２号公報（第３頁及び図３参照）
【特許文献３】特開２００１−７１７９６号公報（第３頁及び図２参照）
【０００６】
【発明が解決する課題】本発明は上記事実に鑑み、幼児がシートベルトを着用しても圧迫感や拘束感を与えずに、長時間の使用においても疲れず、取り扱いの容易なシートベルト用のバックルを提供するものである。
【０００７】
【課題を解決するための手段】
本発明の第１の特徴は、ベルト係着部を有するタングプレートを挿入する４つの挿入口と固定された少なくとも一つの係止部とを有するバックルの本体と、前記挿入口に挿入する着脱自在の４つのタングプレートと、該タングプレートの抜脱を操作する押圧部を有する蓋体とよりなることを特徴とするシートベルト用バックルである。シートベルト用バックルに着設された係止部にベルトを通して座部にバックルを固定し、４つのタングプレートにベルトを取着して、シートベルト用バックルの挿入口にタングプレートを挿入して簡単に係止することできる。それぞれのタングプレートに独立してベルトが係着されているので、４本のベルトの締め付けの強さをそれぞれに調節することが可能で、幼児の体型、姿勢に合わせて４本のベルトの張り具合をそれぞれ調節することができる。
【０００８】
本発明の第２の特徴は、本体に固定された係止部を下にした場合、２つのタングプレートのベルト係着部が略水平方向を向き、２つのタングプレートのベルト係着部は斜め上方を向いていることを特徴とする請求項１記載のシートベルト用バックルである。斜め上方を向いている２つのタングプレートのベルト係着部は背もたれ部からの２本の肩ベルトに係着し、略水平方向を向いている２つのタングプレートのベルト係着部は腰部固定用の腰ベルトに係着することができる。このようにタングプレートのベルト係着部を腰及び肩のそれぞれの方向に向けることによって、ベルトが捩れず、装着時においても違和感が生じず、幼児に安心感と安定感を与える。
【０００９】
【本発明の実施の態様】以下に本発明の実施の態様を図示して詳細に説明するが、本発明は以下の要旨を超えない範囲において実施例に限定されるものではない。
【００１０】
本件発明のシートベルト用バックル１００の正面図を示すと、図１に示すように、バックルの本体１１の上部に蓋体１８が設けられており、バックルの本体１１の下部には、椅子にベルトで固定するための固定用の係止部１３があり、この固定用の係止部１３にベルトを係着して椅子に固定することができる。上部の２つのタングプレートのベルト係着部１４ｅ、１５ｅは斜め上方向を向いており、ここに肩ベルトを係着する。真ん中の２つのタングプレートのベルト係着部１６ｅ、１７ｅは略水平方向を向いており、ここに腰ベルトを係着する。このように係着するベルトの方向にタングプレートのベルト係着部１４ｅ、１５ｅ、１６ｅ、１７ｅを向けることによって、ベルトで固定された幼児に、ベルト装着時に拘束感や違和感を生じさせることなく、ベルトを装着した幼児に安心感と安定感を与えるものである。
【００１１】
本発明のシートベルト用バックル１００の材料は金属製でもよいが、重量と取り扱い易さから、軽量の合成樹脂により作成することが望ましい。合成樹脂としては、例えば、ポリ塩化ビニール、ポリエチレン、ポリプロピレン、ポリスチレン等が例示出来るが、これらに限定されるものではなく、硬度が高く、耐候性のある合成樹脂が望ましい。
【００１２】
バックルの本体１１の内部は、図２に示すように、タングプレートが挿入されるそれぞれの室が境界壁２２によって仕切られており、挿入されたタングプレートが境界壁２２に沿って嵌入するようになっている。バックルの本体１１の中央部にネジ孔１９が設けられており、バネ２０を付勢して図４に示す蓋１８をネジ２１で固定する。
【００１３】
バックルの本体１１に挿入されるタングプレート１４、１５、１６、１７は、図３に示すように、タングプレート１４、１６は同一形状をしており、タングプレート１５、１７が同一形状であり、挿入部１５ａ、１７ａはタングプレート１４、１６の挿入部１４ａ、１６ａとは逆向きとなっている。それぞれの挿入部１４ａ、１６ａ、１５ａ、１７ａに設けられている係合片２３は、係合片取着部２３ａが細くなって、弾力性を備えた構造となっている。係合片２３はタングプレートの枠１７ｂより若干上に張り出しており、係合片取着部２３ａの弾力性によって、タングプレート１４、１５、１６、１７を本体に挿入する時は係合片２３が下に押さえられて挿入される。挿入されたタングプレートの係合片２３は本体の中で係合片取着部２３ａの弾力性で元の高さに戻り、係合部２３ｂが図２に示す本体の枠１１ａに掛かり係止される。係合片２３の形状はこの形状に限定されるものではなく、例えば、係合片を上下に２枚着設してその間にバネを付勢する形状であってもよい。
【００１４】
図４はバックルの斜視図を示すものであり、挿入口１２が本体１１の側面にそれぞれ設けられている。タングプレート１４、１５、１６、１７は挿入口１２に挿入しやすいように、係合片２３を有する挿入部１４ａ、１６ａ、１５ａ、１７ａは傾斜している。また、ベルトを係着するベルト係着部１４ｅ，１５ｅ，１６ｅ，１７ｅはベルトを掛ける方向に屈曲している。挿入部１５ａ（以下、１４ａ，１６ａ，１７ａも同様）の屈曲した部分に凹部１５ｃを設け、本体の挿入口１２の両側に凸部２２ａを設けて、この凹凸が係合して挿入を確実にすると共に、がたつきをなくすようにしている。さらに、挿入部の先端に凹部１５ｄを設け、挿入口１２の奥に凸部２２ｂを設けて、凹凸が係合して挿入後のがたつきをなくし、タングプレートを本体に安定に保持するようになっている。
【００１５】
バックルの本体１１に被装する蓋体１８は、図５に示すように、上下対称に２つに分割されており、１片の中央部にネジ孔２５があり、その上下に柱体２５ａ、２５ｂが設けられており、それぞれの柱体２５ａ、２５ｂは図２に示す本体１１の受け穴１９ａ、１９ｂに係合して、蓋体１８を本体１１に安定に保持させる。蓋体１８を本体１１に取り付けて、中央部のネジ孔２５でバックルの本体１１にバネ２０を付勢してネジ２１で取着する。バックルの本体１１に取着された二つに分割された蓋体１８の隅の押圧部２４を指で押すと係合片２３が押さえられて、係合部２３ｂが本体の枠１１ａから離脱してタングプレートを抜き取ることができる。蓋体１８の隅の押圧部２４は押圧部位として丸い枠で描いてもよく、或いは凹部や凸部を設けて押圧部位を明らかにしてもよい。
【００１６】
本発明のバックルを幼児用椅子に取着した例を図６に示す。図６には、幼児用椅子２６が車の座席にシートベルト２７で固定されている。この幼児用椅子２６の幼児の股間に当たる位置に本発明のバックル１００を固定用ベルト３０で固定する。バックル１００の上側のタングプレートには肩ベルト２８を取着し、下側のタングプレートに腰ベルト２９を取着すると幼児は安定した姿勢で保護される。従来の幼児用のシートベルトに取着されているバックルに比較して小さく、軽量であり、幼児に圧迫感、拘束感を与えない。また、バックルに着設した個々のベルトで長さを調節することができることから、幼児の体の状況に応じて腰ベルト、肩ベルトのそれぞれ一本づつの長さを調節出来る。この他、レーシングカー等の５点で固定するためのシートベルト用のバックルとして使用することができる。
【００１７】
【発明の効果】本発明のバックルは、バックルの一方端を座部に固定して、４つのタングプレートにベルトを係止することにより、４本のベルトの締め付けの強さを個々に調節することができる効果を有している。本発明のバックルの上部に設けられた２つのタングプレートのベルト係着部を背もたれ部からの２本の肩ベルトに係着し、下部の２つのタングプレートのベルト係着部に腰部の固定用の腰ベルトを係着することができる。タングプレートのベルト係着部の方向を腰及び肩の方向に向けて取着したことによって、ベルトが捩れず、装着時においても違和感が生じず、幼児に安心感と安定感を与える効果を有している。
【図面の簡単な説明】
【図１】バックルの正面図。
【図２】バックル本体の正面図。
【図３】タングプレートの正面図。
【図４】バックルの斜視図。
【図５】バックルの蓋体の正面図。
【図６】幼児用シートにバックルを着設した斜視図。
【符号の説明】
１００：本発明のバックル
１１：バックルの本体
１２：挿入口
１３：固定用プレート
１４：タングプレート
１５：タングプレート
１６：タングプレート
１７：タングプレート
１８：蓋
１９：ネジ孔
２０：バネ
２１：ネジ
２２：境界壁
２３：係合片
２４：押圧部
２５：ネジ孔
２６：幼児用椅子
２７：シートベルト
２８：肩ベルト
２９：腰ベルト
３０：固定用ベルト
【図１】
2004329472.tif 000003
【図２】
2004329472.tif 000004
【図３】
2004329472.tif 000005
【図４】
2004329472.tif 000006
【図５】
2004329472.tif 000007
【図６】
2004329472.tif 000008